(57)【特許請求の範囲】
【請求項１】
鉄塔の被締結部同士が複数のボルト及び複数のナットにより相互に結合された送電用鉄塔において、部外者が該ボルト及びナットを操作不能にするための鉄塔用ボルト緩め防止装置であって、
前記ボルトの頭部又はナットがそれぞれ挿通される複数の開口部又は孔を有して、複数のボルト又はナットに共通して設けられ、相互に結合される前記被締結部の前記ボルト側及びナット側の両側に取り付けられて、複数のボルトの頭部又はナットの軸方向の上部を開放する２つの緩め防止金具と、
該２つの緩め防止金具の全体を、前記ボルト又はナットに前記開口部又は孔を嵌めた位置において前記鉄塔の前記被締結部の両側から挟んだ状態で前記被締結部に、取り外し不能に係止する取り外し不能部材と、を備え、
前記緩め防止金具の前記開口部は、
前記ボルトの頭部又はナットの周縁部を略半分囲う半円形の開口部であって、かつ前記半円形の開放側が、前記取り外し不能部材によって取り外し不能に係止される前の状態において前記２つの緩め防止金具の全体を前記被締結部に対して抜き差し可能な方向に向いており、
前記緩め防止金具の前記孔は、
前記ボルトの頭部又はナットが挿通可能な内幅を有する長円形の孔であり、
前記取り外し不能部材によって前記２つの緩め防止金具を前記鉄塔の被締結部に取り外し不能に係止した状態において、前記緩め防止金具の前記開口部又は孔と当該開口部又は孔に挿通される前記ボルトの頭部又はナットの周縁部との間の隙間は、操作用工具を挿入できない大きさであり、かつ前記ボルト及びナットの前記緩め防止金具の上面からの突出高さは、操作用工具を操作できない程度に小さく設定されていることを特徴とする鉄塔用ボルト緩め防止装置。
【発明の詳細な説明】
【０００１】
【発明の属する技術分野】
本発明は、電力送電鉄塔の塔脚を結合しているボルト・ナットに係り、特には相互に結合されたボルト・ナットが部外者により容易に緩められないようにした鉄塔用ボルト緩め防止装置に関する。
【０００２】
【従来の技術】
従来、電力送電鉄塔としては、鋼管鉄塔、またはアングル鉄塔が使用されている。
鋼管鉄塔１は、図１２に示すように、鋼管２の端面にフランジ３を溶接し、この鋼管２とフランジ３との間に複数個の補強梁４を取付けている。この鋼管鉄塔１は、フランジ３を突合せてこれらフランジ３を貫通して複数本のボルト５を挿入し、これらにボルト５にナット６を螺着して、複数の鋼管２を順次に結合している。
【０００３】
また、アングル鉄塔７は、図１３，１４に示すように、アングル８，９を重ね合わせ、これらアングル８，９を貫通して複数本のボルト５を挿入し、これらボルト５にナット６を螺合して、アングル８，９を接続している。
【０００４】
【発明が解決しようとする課題】
上述した鋼管鉄塔１、アングル鉄塔７は、いずれも結合したボルト・ナットが露出した状態にあるので、ボックスレンチまたはスパナ等の一般の工具で操作できる状態にある。
そこで、部外者例えば一部の不心得者が故意に或はいたずらの気持ちで、ボルト・ナットを緩めた場合には、鉄塔が振動したり、最悪の場合は鉄塔が倒壊し、甚大な被害が発生するという問題があった。
【０００５】
本発明は、上記の事情に鑑みてなされたもので、その目的は、部外者がボルト・ナットを操作不能にするための鉄塔用ボルト緩め防止装置を提供するにある。
【０００６】
【課題を解決するための手段】
請求項１の発明は、鉄塔１、７の被締結部３、８、９同士が複数のボルト５及び複数のナット６により相互に結合された送電用鉄塔１において、部外者が該ボルト５及びナット６を操作不能にするための鉄塔用ボルト緩め防止装置１０、２０、３０、４０、５０であって、
前記ボルト５の頭部又はナットがそれぞれ挿通される複数の開口部１３、５２又は孔１４を有して、複数のボルト５又はナットに共通して設けられ、相互に結合される前記被締結部の前記ボルト５側及びナット側の両側に取り付けられて、複数のボルト５の頭部又はナットの軸方向の上部を開放する２つの緩め防止金具１１、２１、２２、３１、３２、４１、４２、５１と、該２つの緩め防止金具の全体を、前記ボルト５又はナットに前記開口部１３、５２又は孔１４を嵌めた位置において前記鉄塔の前記被締結部の両側から挟んだ状態で前記被締結部に、取り外し不能に係止する取り外し不能部材１４、２１ｃ、２２ｃ、２３、４１ｃ、４２ｃ、５３と、を備え、
前記緩め防止金具の前記開口部１３、５２は、前記ボルト５の頭部又はナットの周縁部を略半分囲う半円形の開口部１３、５２であって、かつ前記半円形の開放側が、前記取り外し不能部材によって取り外し不能に係止される前の状態において前記２つの緩め防止金具の全体を前記被締結部に対して抜き差し可能な方向に向いており、
前記緩め防止金具の前記孔１４は、前記ボルト５の頭部又はナットが挿通可能な内幅を有する長円形の孔１４であり、
前記取り外し不能部材によって前記２つの緩め防止金具を前記鉄塔の被締結部に取り外し不能に係止した状態において、前記緩め防止金具の前記開口部１３、５２又は孔１４と当該開口部１３、５２又は孔１４に挿通される前記ボルト５の頭部又はナットの周縁部との間の隙間は、操作用工具を挿入できない大きさであり、かつ前記ボルト５及びナットの前記緩め防止金具の上面からの突出高さは、操作用工具を操作できない程度に小さく設定されていることを特徴とする鉄塔用ボルト緩め防止装置１０、２０、３０、４０、５０である。
【０００７】
【発明の実施の形態】
以下、本発明を、鋼管鉄塔１に適用される第１の実施例の鉄塔用ボルト緩め防止装置１０につき図１〜図３を参照して説明する。尚、鉄塔の構成については上述と同一符号を付して説明する。
【０００８】
この緩め防止金具１１は、図３に示すように、外周部がフランジ３よりも大径の円環を半分に分割して構成され、板厚はボルト５の高さとほぼ同じ厚さに形成されている。この鉄塔用ボルト緩め防止装置１０は、フランジ３の全面を覆って取付けられるが、中心に対して対称の構成であるので、片半部についてのみ説明する。
【０００９】
緩め防止金具１１の内周部は、ボルト５の中心よりもやや内側に位置し、ボルト５・ナット６の外形に近接した半円形の開口部１３が形成されている。これら開口部１３とボルト５・ナット６の外形との隙間は、ボルト５・ナット６を操作する工具例えばボックススパナ、ボックスレンチまたはスパナ等が挿入できない程度に小さく設定されている。また、ボルト５・ナット６が緩め防止金具１１の上面から突出している場合でも、その突出高さは、スパナ等が操作できない程度に小さい必要がある。
【００１０】
これら、開口部１３のうち少なくとも２箇所は、緩め防止金具１１の内周部が中心方向に延設されてボルト５の全周囲を囲む孔１４に構成されている。
また、フランジ３よりも外方に位置して２個のかしめ用の孔１５が形成されており、さらに、補強梁４が挿入される溝１６が形成されている。
【００１１】
２枚の緩め防止金具１１は、図１，２に示すように、それぞれ鋼管鉄塔１のフランジ３の上面及び下面に重ね合わされ、孔１５に挿入されたリベット１２をかしめることにより一体化されて、相互に取り外し不能にされている。
尚、リベット１２は、工場において出荷時に予め一方の緩め防止金具１１にかしめておけば、現場での作業が簡単になる。
【００１２】
尚、緩め防止金具１１は、リベット１２により取り外し不能にするばかりでなく、例えば、基礎コンクリート上に鋼管鉄塔１が固定されている場合等のように、緩め防止金具１１が片側に１枚取付けられる場合には、緩め防止金具１１の縁部を鋼管鉄塔１例えばフランジ３等に溶接するようにしてもよい。
【００１３】
この鉄塔用ボルト緩め防止装置１０によれば、上下の２枚の緩め防止金具１１は相互にリベット１２によりかしめられて、上下に分離不能に構成されている。また、図１に示す側方へ引っ張られた場合でも孔１４がボルト５に引っかかるので、これらの緩め防止金具１１が鋼管鉄塔１から取り外されることがない。
【００１４】
しかも、ボルト５・ナット６の周囲には開口部１３及び孔１４が形成されていて、一般の工具が挿入できないので、部外者がボルト５・ナット６を緩めることができないという効果を奏するものである。
【００１５】
尚、ボルト５・ナット６を、鋼管鉄塔１から取外し不能にするには、ボルト５・ナット６を鋼管鉄塔１に直接溶接またはかしめ付けすることも考えられるが、この方法によると、将来、鉄塔を解体、改造する場合には、各ボルト５・ナット６毎に溶接またはかしめ付けを切断しなければならないので、大変な作業量になる。然しながら、本第１の実施例によれば、溶接またはかしめ付け箇所が少ないので、鉄塔の解体、改造作業を容易にすることができるという効果を奏するものである。
【００１６】
図４及び図５はアングル鉄塔７に適用される第２の実施例の鉄塔用ボルト緩め防止装置２０を示すもので、第１の緩め防止金具２１はＬ形をなしておりボルト５側に設けられている。第２の緩め防止金具２２は同じくＬ形をなしておりナット６側に設けられている。これらの緩め防止金具２１，２２にはともにボルト５・ナット６に近接して端面が開口した開口部１３と、ボルト５・ナット６の周囲を囲む長円形の孔１４が形成されており、その上面はボルト５・ナット６とほぼ同じ高さにある。また、緩め防止金具２１，２２とアングル８，９との間の隙間は小さく、工具を挿入する余地はない。
【００１７】
これら緩め防止金具２１，２２の一方の端部２１ａ，２２ａは折曲げられて先端がアングル８，９に当接している。
また、他方の端部２１ｂ，２２ｂは、蝶番構造になっており、これらの枢支部に貫通したリベット２３により緩め防止金具２１及び緩め防止金具２２が回動可能に構成されている。このリベット２３は、両端部がかしめられており、緩め防止金具２１，２２は相互に分離不能に構成されている。
【００１８】
この鉄塔用ボルト緩め防止装置２０は、緩め防止金具２１，２２の端部２１ａ，２２ａを開いてアングル鉄塔７に挿入し、ボルト５・ナット６をそれぞれ開口部１３及び孔１４に挿入したところで、端部２１ａ，２２ａのそれぞれの２箇所２１ｃ，２２ｃをアングル８，９に溶接している。
【００１９】
この鉄塔用ボルト緩め防止装置２０によれば、緩め防止金具２１，２２はそれぞれアングル８，９に溶接されているので、アングル鉄塔７に対して分離不能である。
また、ボルト５・ナット６の周囲は開口部１３及び孔１４が近接しており、また、緩め防止金具２１，２２の上面、下面にも操作用工具が挿入できないので、部外者がボルト５・ナット６を緩めることができないという第１の実施例と同様の効果を奏することができる。
【００２０】
図６及び図７はアングル鉄塔７に適用される第３の実施例の鉄塔用ボルト緩め防止装置３０を示すもので、第２の実施例との相違について説明する。
緩め防止金具３１，３２は、ボルト５・ナット６の周囲に長円形の孔１４が近接して形成されており、両端部がともに蝶番構造になっている。この緩め防止金具３１，３２の一方の蝶番は、工場において予めリベット２３が取付けられており、他方の蝶番が現場においてアングル鉄塔７に装着された後、リベット２３の両端部をかしめることにより、ボルト緩め防止装置３０はアングル鉄塔７に対して取り外し不能にされている。
【００２１】
このボルト緩め防止装置３０は、図６に示す左右方向に移動するが緩め防止金具３１の側面がアングル８に当接して停止する。緩め防止金具３１とアングル８間の隙間は小さく設定されているので、緩め防止金具３１が左方へ移動したときでも、ボルト５が緩め防止金具３１から突出する量は小さく、スパナの引っかかりが小さいのでボルト５・ナット６を緩め操作することはできない。
従って、この第３の実施例においても第１の実施例と同様の効果を奏するものである。
【００２２】
図８及び図９はアングル鉄塔７に適用される第４の実施例の鉄塔用ボルト緩め防止装置４０を示すもので、第２の実施例との相違は、緩め防止金具４１，４２は、ボルト５・ナット６の周囲に半円形の開口部１３が近接して形成されており、両端部４１ｃ，４２ｃがともにアングル８，９に溶接されている点にある。
この第４の実施例においても第１の実施例と同様の効果を奏するものである。
【００２３】
図１０及び図１１はアングル鉄塔７に適用される第５の実施例の鉄塔用ボルト緩め防止装置５０を示すもので、ボルト５またはナット６の上面を覆うようにしたものである。
【００２４】
緩め防止金具５１は、Ｕ字状に形成されており、一方の辺部５１ａは、ボルト５側に装着されて内面がボルト５の頭部に接してボルト５の上面を覆っている。また、他方の辺部５１ｂは、ナット６側に装着されて内面がナット６の頭部に接している。
【００２５】
他方の辺部５１ｂには、側方へ開口する開口部５２が形成されている。開口部５２の幅寸法はボルト５のねじ部５ａが挿通できる大きさを有しており、ナット６の縁部を覆っている。
この辺部５１ａ，５１ｂの両側端部５１ｃ及び開口部５２側の端部５２ａは折り返えされてその先端とアングル８，９との間にはわずかな隙間が形成されている。
【００２６】
この緩め防止金具５１は、２箇所において、開口部５２から突出したボルト５のねじ部５ａにロックナット５３が螺合して、アングル鉄塔７から取り外し不能に固定されている。このロックナット５３は上面に締付用の係止部５３ａを有する特殊ナットであって、これの周囲には、一般の工具が使用できないようにＣ形の防護壁５４が立設されている。
【００２７】
このボルト緩め防止装置５０においても、緩め防止金具５１がロックナット５３により取り外し不能に固定されており、また、折返された端部５１ｃ及び端部５２ａがスパナの挿入を不可能にしているので、部外者がボルト５またはナット６を緩め操作することができないという効果を奏するものである。
【００２８】
さらに、このボルト緩め防止装置５０は、ロックナット５３を螺脱すれば、緩め防止金具５１を取り外すことができるので、将来、鉄塔を解体、改造するに際して、他の実施例に比べて一層作業を容易にすることができるという優れた効果を奏するものである。
【００２９】
【発明の効果】
本発明は、鉄塔の被締結部同士が複数のボルト及び複数のナットにより相互に結合された送電用鉄塔において、部外者が該ボルト及びナットを操作不能にするための鉄塔用ボルト緩め防止装置であって、
前記ボルトの頭部又はナットがそれぞれ挿通される複数の開口部又は孔を有して、複数のボルト又はナットに共通して設けられ、相互に結合される前記被締結部の前記ボルト側及びナット側の両側に取り付けられて、複数のボルトの頭部又はナットの軸方向の上部を開放する２つの緩め防止金具と、該２つの緩め防止金具の全体を、前記ボルト又はナットに前記開口部又は孔を嵌めた位置において前記鉄塔の前記被締結部の両側から挟んだ状態で前記被締結部に、取り外し不能に係止する取り外し不能部材と、を備え、
前記緩め防止金具の前記開口部は、前記ボルトの頭部又はナットの周縁部を略半分囲う半円形の開口部であって、かつ前記半円形の開放側が、前記取り外し不能部材によって取り外し不能に係止される前の状態において前記２つの緩め防止金具の全体を前記被締結部に対して抜き差し可能な方向に向いており、
前記緩め防止金具の前記孔は、前記ボルトの頭部又はナットが挿通可能な内幅を有する長円形の孔であり、前記取り外し不能部材によって前記２つの緩め防止金具を前記鉄塔の被締結部に取り外し不能に係止した状態において、前記緩め防止金具の前記開口部又は孔と当該開口部又は孔に挿通される前記ボルトの頭部又はナットの周縁部との間の隙間は、操作用工具を挿入できない大きさであり、かつ前記ボルト及びナットの前記緩め防止金具の上面からの突出高さは、操作用工具を操作できない程度に小さく設定されていることを特徴とする鉄塔用ボルト緩め防止装置であるので、部外者がボルトまたはナットを緩め操作することができず、保安上優れた効果を奏するものである。
【図面の簡単な説明】
【図１】  本発明の鉄塔用ボルト緩め防止装置の第１の実施例の縦断正面図である。
【図２】  片半部の平面図である。
【図３】  緩め防止金具の平面図である。
【図４】  第２の実施例の横断平面図である。
【図５】  正面図である。
【図６】  第３の実施例の横断平面図である。
【図７】  正面図である。
【図８】  第４の実施例の横断平面図である。
【図９】  正面図である。
【図１０】  第５の実施例の横断平面図である。
【図１１】  正面図である。
【図１２】  鋼管鉄塔の正面図である。
【図１３】  アングル鉄塔の横断平面図である。
【図１４】  アングル鉄塔の正面図である。
【符号の説明】
１  鋼管鉄塔
３  フランジ
５  ボルト
６  ナット
７  アングル鉄塔
８  アングル
９  アングル
１０  鉄塔用ボルト緩め防止装置
１１  緩め防止金具
１２  リベット
１３  開口部
１４  孔
２０  鉄塔用ボルト緩め防止装置
２１  第１の緩め防止金具
２２  第２の緩め防止金具
２３  リベット
３０  鉄塔用ボルト緩め防止装置
３１  緩め防止金具
３２  緩め防止金具
４０  鉄塔用ボルト緩め防止装置
４１  緩め防止金具
４２  緩め防止金具
５０  鉄塔用ボルト緩め防止装置
５１  緩め防止金具
５１ａ一方の辺部
５１ｂ他方の辺部
５２  開口部
５３  ロックナット
５４  防護壁
【図１】
0004045386.tif 000002
【図２】
0004045386.tif 000003
【図３】
0004045386.tif 000004
【図４】
0004045386.tif 000005
【図５】
0004045386.tif 000006
【図６】
0004045386.tif 000007
【図７】
0004045386.tif 000008
【図８】
0004045386.tif 000009
【図９】
0004045386.tif 000010
【図１０】
0004045386.tif 000011
【図１１】
0004045386.tif 000012
【図１２】
0004045386.tif 000013
【図１３】
0004045386.tif 000014
【図１４】
0004045386.tif 000015